(57)【要約】【課題】パソコンなどの情報機器の操作に不慣れなユーザーは、設定を変更して希望の状態にならなかった場合や重大な不具合が起こった場合に以前の状態に戻せない。このような場合に容易に元の設定に戻せるようにすること。【解決手段】過去使用したことのある設定の中で、いくつかの設定の累積使用時間を記録部４に自動的に記録しておき、ユーザーが設定を以前のものに戻したい場合に、累積使用時間が最も長い設定を推奨設定としてユーザーに表示し、ユーザーはその表示された設定の中から所望の設定を選ぶことにより、容易に元の設定に戻せる。【選択図】図１
2008250389.tif 000002
【特許請求の範囲】
【請求項１】
複数の設定を使用して動作する電子機器の設定装置であって、
ユーザーの操作する操作入力部と、
前記設定毎の使用実績を記録する記録部と、
前記操作入力部を介して当該設定における使用を検出し、この検出結果に基づいて前記記録部に記録された当該設定の使用実績を更新する使用実績更新部と、
復元すべき設定の候補を表示する表示部と、
前記表示部を制御する表示制御部とを備え、
前記表示制御部は、前記操作入力部を介してユーザーからの設定復元操作を検出し、前記記録部に記録された前記設定毎の使用実績に基づき、前記使用実績の高い設定を前記表示部に表示させるよう制御すると共に、
前記表示制御部は、前記表示部に表示された設定を基にユーザーが決定した復元すべき設定を前記操作入力部を介して検出し、この復元すべき設定に基づいて前記電子機器を設定することを特徴とする電子機器の設定装置。
【請求項２】
前記記録部は、前記各設定の累計使用時間を前記設定毎の使用実績として記録し、
前記使用実績更新部は、当該設定における使用時間を検出して前記記録部に記録された累計使用時間を更新し、
前記表示制御部は、前記累計使用時間の長い設定を前記表示部に表示させることを特徴とする請求項１記載の電子機器の設定装置。
【請求項３】
前記記録部は、前記各設定の累計起動回数を前記設定毎の使用実績として記録し、
前記使用実績更新部は、当該設定における起動を検出して前記記録部に記録された累計起動回数を更新し、
前記表示制御部は、前記累計起動回数の多い設定を前記表示部に表示させることを特徴とする請求項１記載の電子機器の設定装置。
【請求項４】
前記表示制御部は、前記使用実績の最も高い設定を前記表示部に表示させることを特徴とする請求項１記載の電子機器の設定装置。
【請求項５】
前記表示制御部は、前記使用実績の最も高い設定から順に複数通りの設定を前記表示部に表示させることを特徴とする請求項１記載の電子機器の設定装置。
【発明の詳細な説明】
【技術分野】
【０００１】
本発明は、情報処理装置等の電子機器において、自動保存された複数の設定から所望の設定を選択して元の設定に戻すための電子機器の設定装置に関するものである。
【背景技術】
【０００２】
従来のパソコンなどの情報処理装置で、設定は、ユーザー独自の環境や好みに適した状態を提供する役割を持つ。例えば、パソコンのネットワーク環境は、ユーザー独自であり、設置場所に依存する為、個々に設定が異なるのが通常である。また、ポータブルオーディオ機器の音量・音質・再生方法の設定もユーザー独自であるのが通常である。つまり、個々のユーザーが設定を変更することは、通常のことと考えられる。
【０００３】
設定を変更して希望の状態にならなかった場合や、重大な不具合が起こった場合、事前に使用していた元の設定を別途保存しておくと、以前の状態に簡易かつ確実に戻すことが出来る。パソコンであれば、設定ファイルを事前に複製しておくことで対応可能である。
【０００４】
特許文献１に、設定値を変更する変更手段と、この変更手段での設定値の変更の履歴を保存する履歴保存手段と、この履歴保存手段で保存された変更の履歴を表示し、変更された設定値を元に戻すことを選択する選択手段とを備えた電動機制御装置が開示されている。
【特許文献１】特開２００１−１６９５７９号公報
【発明の開示】
【発明が解決しようとする課題】
【０００５】
ここで、対象の情報処理装置や操作等を熟知しているユーザーは、適切に設定を変更し、また元に戻すことが可能である。しかし、操作に不慣れなユーザーや装置を熟知していないユーザーには、設定を変更して希望の状態にならなかった場合や重大な不具合が起こった場合に備えて、自分で設定を事前に保存することを期待しにくい。さらに、操作に不慣れなユーザーや装置を熟知していないユーザーは、設定変更を何度か試して、やっと希望の状態にすることが多く、直前の設定を保存しておくだけでは、元の状態に戻せなくなってしまう。
【０００６】
また、課題を解決するために、ユーザーが変更した全ての設定を保存し続けることも考えられるが記憶容量の点からも難しく、仮に全ての設定を保存してもその中でどれが所望の設定であるかを知ることは困難である。
【０００７】
本発明は、上記従来の課題を解決するもので、操作に不慣れなユーザーや装置を熟知していないユーザーが設定変更をした場合にも、使用していた元の状態に戻れるように、過去のユーザーの使用状態から適切な設定を自動的に選択し、有効な設定として保存をしておくことにより、容易に元の所望の設定に戻すことが出来る電子機器の設定装置を提供することを目的とする。
【課題を解決するための手段】
【０００８】
上記従来の課題を解決するために本発明の電子機器の設定装置は、複数の設定を使用して動作する電子機器の設定装置であって、ユーザーの操作する操作入力部と、前記設定毎の使用実績を記録する記録部と、前記操作入力部を介して当該設定における使用を検出し、この検出結果に基づいて前記記録部に記録された当該設定の使用実績を更新する使用実績更新部と、復元すべき設定の候補を表示する表示部と、前記表示部を制御する表示制御部とを備え、前記表示制御部は、前記操作入力部を介してユーザーからの設定復元操作を検出し、前記記録部に記録された前記設定毎の使用実績に基づき、前記使用実績の高い設定を前記表示部に表示させるよう制御すると共に、前記表示制御部は、前記表示部に表示された設定を基にユーザーが決定した復元すべき設定を前記操作入力部を介して検出し、この復元すべき設定に基づいて前記電子機器を設定するものである。
【０００９】
また、前記記録部は、前記各設定の累計使用時間を前記設定毎の使用実績として記録し、前記使用実績更新部は、当該設定における使用時間を検出して前記記録部に記録された累計使用時間を更新し、前記表示制御部は、前記累計使用時間の長い設定を前記表示部に表示させるものである。
【００１０】
また、前記記録部は、前記各設定の累計起動回数を前記設定毎の使用実績として記録し、前記使用実績更新部は、当該設定における起動を検出して前記記録部に記録された累計起動回数を更新し、前記表示制御部は、前記累計起動回数の多い設定を前記表示部に表示させるものである。
【００１１】
また、前記表示制御部は、前記使用実績の最も高い設定を前記表示部に表示させるものである。
【００１２】
また、前記表示制御部は、前記使用実績の最も高い設定から順に複数通りの設定を前記表示部に表示させるものである。
【発明の効果】
【００１３】
本発明の電子機器の設定装置によれば、使用実績の高い設定を復元すべき設定の候補として表示することにより、操作に不慣れなユーザーや装置を熟知していないユーザーが、設定を変更し希望の状態にならなかった場合や重大な不具合が起こった場合に、機器側からユーザーに最適な設定を推奨として提示可能となり、元の状態への復帰や正常な状態への復帰が容易となる。
【発明を実施するための最良の形態】
【００１４】
以下、本発明を実施するための最良の形態について、図面を参照しながら説明する。
【００１５】
（実施の形態１）
図１に、実施の形態１における電子機器（情報処理装置）の設定装置の構成図を示す。図１において、１はユーザーからの操作入力部であり、通常はキー又はリモコンからの操作が入力される。２は使用時間測定部であり、操作入力部１からの操作信号を基に、ある設定での情報処理装置の使用開始を検知して、使用時間の測定を開始し、前記設定の使用終了を検知して、使用時間の測定を終了することにより、前記設定の使用時間を測定する。例えば、設定“Ａ”で情報処理装置が使用開始されると、使用時間測定部２は、使用時間の測定を開始、そして設定“Ａ”での使用終了を検知すると使用時間の測定を終了する。４は記録部であり、図２に示すように、情報処理装置の各設定における累計使用時間が記録されている。
【００１６】
３は比較判断部であり、操作入力部１からの信号を基に、設定が変更されたり使用が終了するなどの状態を検知すると、記録部４にある該当する設定の累計使用時間の情報を書き換えると共に、記録部４に記録された累計使用時間が最長の設定に有効な設定の候補として印をつける。以上のようにして、使用時間測定部２と比較判断部３とで構成する使用実績更新部１０により、記録部４の累計使用時間の情報を更新する。
【００１７】
例えば、図２に示すように、記録部４に５つの設定が記録されていて、設定“Ａ”で１時間使用したとすると、累積使用時間を２４時間から２５時間に変更し、設定“Ａ”の累計使用時間が最長であるので、設定“Ａ”に有効な設定の候補であることを示す印（○印で表示）をつける。
【００１８】
さらに、例えば、図２に示す５つの設定以外の設定“Ｅ”で機能が使用された場合、累計使用時間が最短である設定“Ｄ”と比較し、もし、設定“Ｅ”が長い時間使用されていれば、設定“Ｄ”の代わりに設定“Ｅ”を記録し、さらに、もし設定“Ｅ”が最長の累計時間であれば有効な設定の候補であることを示す印をつける。逆に、設定“Ｄ”が長ければ設定“Ｅ”は記録されない。
【００１９】
５は表示制御部であり、操作入力部１からの信号を元に、ユーザーが設定を戻そうとしていることを検知し、記録部４に記録されている情報から、有効な設定の候補に印がついている設定を、元に戻す候補として、表示部６に信号を伝達する。
【００２０】
例えば、図２の場合、記録されている有効な設定の候補に印が付いているのは、設定“Ａ”であるので、設定“Ａ”を候補として表示する。もし複数の設定に有効な設定の候補として印が付いていれば、その全てを表示してもよい。
【００２１】
６は表示部であり、表示制御部５から伝達された信号を表示する。
【００２２】
なお、比較判断部３で累計使用時間最長の設定を有効な設定の候補として選んでいるが、図３に示すように、累計使用時間の長い順番を有効な設定の候補の順として記録してもよい。この場合は、表示制御部５は、候補の順の情報も含めて表示部６に信号を伝達し、表示部６が候補の順と設定を共に表示するようにしても良い。
【００２３】
そして、ユーザーは、表示部６に表示された設定のなかから所望の設定を操作入力部１を用いて指定すると、表示制御部５は、その設定に基づいて情報処理装置の設定を行う。
【００２４】
このように、ユーザーが設定を戻そうとした時に、表示部に、累計使用時間の長い設定の候補が表示され、ユーザーは、その候補の中から容易に所望の設定を見つけることが出来るため、容易に適切な元の設定に戻すことが出来る。
【００２５】
なお、この実施の形態では、記録部４に保存されている設定の数を５つとしているがこれ以上でも以下でも良い。
【００２６】
（実施の形態２）
図４に、実施の形態２における情報機器の設定装置の構成図を示す。図４に示す構成は、図１に示す構成中の使用時間測定部２が起動検出部７に置き換わったところが異なる。図４において、起動検出部７は、操作入力部１からの操作信号を基に、情報処理装置のある設定での起動を検知してカウントを行う。
【００２７】
例えば、設定“Ａ”の機能が起動すると、起動検出部７は設定“Ａ”の起動を検出しカウントを行う。
【００２８】
比較判断部３は、操作入力部１からの信号を元に、設定が変更されたり機能が終了するなどの状態を検知すると、記録部４にある該当する設定の累計起動回数の情報を書き換え、累計起動回数が最大の設定を有効な設定の候補として印をつける。記録部４には、図５に示すように、複数の設定と、それぞれの累計起動回数が記録されている。以上のようにして、起動検出部７と比較判断部３とで構成する使用実績更新部１１により、記録部４の累計起動回数の情報を更新する。
【００２９】
例えば、図５では５つの設定が記録されていて、設定“Ｃ”で起動したとすると、累積起動回数を２０回から２１回に変更し、設定“Ｃ”の累計起動回数が最大であるので、設定“Ｃ”に有効な設定の候補であることを示す印をつける。また、設定“Ａ”で起動された場合は、１回追加されると２０回となり、設定“Ｃ”と累計起動回数が同数になるので、双方に有効な設定候補として印をつける。
【００３０】
新規の設定で機能が起動された場合は、記録されている中で最も起動回数が少ない設定を削除し代わりに記録する。
【００３１】
例えば、図５に示す５つの設定以外の設定“Ｆ”で機能が起動された場合、起動回数が最も少ない設定である設定“Ｄ”の代わりに、設定“Ｆ”の累計起動回数を１回として記録する。
【００３２】
表示制御部５は、操作入力部１からの信号を基に、ユーザーが設定を戻そうとしていることを検知し、記録部４に記録されている情報から、有効な設定の候補に印がついている設定を元に戻す候補として、表示部６に信号を伝達する。
【００３３】
例えば、図５には、記録部４に記録されている有効な設定の候補に印が付いているのは、設定“Ｃ”であるので、設定“Ｃ”を候補として表示する。もし複数の設定に有効な設定の候補として印が付いていれば、その全てを表示してもよい。
【００３４】
表示部６は、表示制御部５から伝達された信号を表示する。そして、ユーザーは、表示部６に表示された設定のなかから所望の設定を操作入力手段１を用いて指定すると、表示制御部５は、その設定に基づいて情報処理装置の設定を行う。
【００３５】
このように、ユーザーが設定を戻そうとした時に、表示部に、累計起動回数の多い設定の候補が表示され、ユーザーは、その候補の中から容易に所望の設定を見つけることが出来るため、容易に適切な元の設定に戻すことが出来る。
【００３６】
なお、比較判断部３で最大累計起動回数の設定を有効な設定の候補として選んでいるが、図６に示すように、累計使用時間の多い順番を有効な設定の候補の順として記録してもよい。この場合は、表示制御部５では、候補の順の情報も含めて表示部６に信号を伝達し、候補の順と設定を共に表示しても良い。
【００３７】
なお、この実施の形態では、記録部４に保存されている設定の数が５つであるが、これ以上でも以下でも良い。
【００３８】
なお、上記、実施の形態１に記述した累計使用時間での判断と、実施の形態２で記述した起動回数での判断の両方を用いても良い。
【産業上の利用可能性】
【００３９】
本発明の電子機器の設定装置は、ユーザーが特に意識することなく有効な設定を保存でき、情報処理装置等に有用である。
【図面の簡単な説明】
【００４０】
【図１】本発明の実施の形態１における設定装置の基本構成図
【図２】本発明の実施の形態１における設定の記録例を示す図
【図３】本発明の実施の形態１における順位付けした設定の記録例を示す図
【図４】本発明の実施の形態２における設定装置の基本構成図
【図５】本発明の実施の形態２における設定の記録例を示す図
【図６】本発明の実施の形態２における順位付けした設定の記録例を示す図
【符号の説明】
【００４１】
１  操作入力部
２  使用時間測定部
３  比較判断部
４  記録部
５  表示制御部
６  表示部
７  起動検出部
１０、１１  使用実績更新部
【図１】
2008250389.tif 000003
【図２】
2008250389.tif 000004
【図３】
2008250389.tif 000005
【図４】
2008250389.tif 000006
【図５】
2008250389.tif 000007
【図６】
2008250389.tif 000008